(57)【要約】【課題】給水口とのシール性を確保するとともにレベルゲージを支持する機能を有しながら、給水口側との係合が容易に且つ確実に行われるキャップを備えたリザーバタンクを提供する。【解決手段】冷却水を入れる筒状の給水口が形成され、この給水口にキャップ６２が嵌められ、このキャップ６２に内部の冷却水の貯留量を確認するレベルゲージ６７が取付けられたリザーバタンクにおいて、給水口の外周面におねじが形成され、キャップ６２の内周面におねじにねじ結合するめねじ６５ｃが形成され、キャップ６２の内周部に、キャップ６２を給水口にねじ結合したときに給水口の開口とキャップ６２との間をシールするシール部材６６が係合され、このシール部材６６でレベルゲージ６７が支持される。【選択図】図３
2010173504.tif 000002
【特許請求の範囲】
【請求項１】
冷却水を入れる筒状の給水口が形成され、この給水口にキャップが嵌められ、このキャップに内部の冷却水の貯留量を確認するレベルゲージが取付けられたリザーバタンクにおいて、
前記給水口の外周面におねじが形成され、前記キャップの内周面に前記おねじにねじ結合するめねじが形成され、キャップの内周部に、キャップを給水口にねじ結合したときに給水口の開口とキャップとの間をシールするシール部材が係合され、このシール部材で前記レベルゲージが支持されることを特徴とするリザーバタンク。
【請求項２】
前記シール部材は、他の部分よりも外径が大きなフランジ部が形成され、前記キャップは、底部と、この底部の外周部から延びる周壁部とからなる有底筒状の部材であり、前記周壁部の内面に、前記めねじと、このめねじよりも前記底部に近い位置に設けられた環状溝部が形成され、この環状溝部に前記シール部材のフランジ部が係合することを特徴とする請求項１記載のリザーバタンク。
【請求項３】
前記レベルゲージに前記冷却水の付着を促す複数の穴が開けられるとともに、前記冷却水の上限レベル及び下限レベルを示す目印が隣り合う前記穴の間に設けられた凹部から構成されていることを特徴とする請求項１又は請求項２記載のリザーバタンク。
【発明の詳細な説明】
【技術分野】
【０００１】
本発明は、ラジエータに接続された冷却水貯留用リザーバタンクの改良に関するものである。
【背景技術】
【０００２】
従来のリザーバタンクとして、ラジエータの上方に配置され、ラジエータに配管で接続されたものが知られている（例えば、特許文献１参照。）。
【０００３】
特許文献１の図４によれば、リザーバタンク２３は、ラジエータ２０にリザーバ用パイプジョイント２１及び連通用チューブ２２を介して接続されている。
リザーバタンク２３は、上部に給水口２３ｃが設けられ、この給水口２３ｃがキャップで塞がれる。
【先行技術文献】
【特許文献】
【０００４】
【特許文献１】特開平１１−９１６６８公報
【発明の概要】
【発明が解決しようとする課題】
【０００５】
リザーバタンク２３の給水口２３ｃを塞ぐキャップの一例を以下の図９で説明する。
図９に示すように、キャップ１００は、リザーバタンクの給水口に取付けられるゴム製のキャップ本体１０１と、このキャップ本体１０１に取付けられたレベルゲージ１０２とからなる。
【０００６】
キャップ本体１０１は、キャップ１００がリザーバタンクの給水口に取付けられたときに、給水口とキャップ１０１との間のシール性を確保する機能を有する。
キャップ本体１０１は、円板状部１０３と、この円板状部１０３の外周部から半径方向外側に一体に突出する径方向突出片１０４とからなる。
径方向突出片１０４は、キャップ１００をリザーバタンクから取り外す際に手で把持する部分である。
【０００７】
円板状部１０３は、中央部が厚肉にされてレベルゲージ１０２が嵌合する嵌合穴部１０６が開けられ、周縁に半径方向内側に一体に突出する環状突出部１０７が形成されている。環状突出部１０７は、リザーバタンクの給水口側に設けられた係合部に係合する部分である。
【０００８】
キャップ１００をリザーバタンクの給水口に取付けたときに、環状突出部１０７と給水口の係合部とが確実に係合したかどうかを確認する必要がある。
【０００９】
本発明の目的は、給水口とのシール性を確保するとともにレベルゲージを支持する機能を有しながら、給水口側との係合が容易に且つ確実に行われるキャップを備えたリザーバタンクを提供することにある。
【課題を解決するための手段】
【００１０】
請求項１に係る発明は、冷却水を入れる筒状の給水口が形成され、この給水口にキャップが嵌められ、このキャップに内部の冷却水の貯留量を確認するレベルゲージが取付けられたリザーバタンクにおいて、給水口の外周面におねじが形成され、キャップの内周面におねじにねじ結合するめねじが形成され、キャップの内周部に、キャップを給水口にねじ結合したときに給水口の開口とキャップとの間をシールするシール部材が係合され、このシール部材でレベルゲージが支持されることを特徴とする。
【００１１】
キャップの内周部にシール部材が係合し、このシール部材にレベルゲージが支持されているので、キャップのめねじを給水口の外周面に形成されたおねじにねじ結合すれば、キャップが給水口に容易に取付けられ、給水口の開口とキャップとの間はシール部材でシールされる。また、レベルゲージの支持が容易にできる。
【００１２】
請求項２に係る発明は、シール部材に、他の部分よりも外径が大きなフランジ部が形成され、キャップが、底部と、この底部の外周部から延びる周壁部とからなる有底筒状の部材であり、周壁部の内面に、めねじと、このめねじよりも底部に近い位置に設けられた環状溝部とが形成され、この環状溝部にシール部材のフランジ部が係合することを特徴とする。
【００１３】
作用として、キャップの周壁部の内面に形成された環状溝部に、シール部材のフランジが係合する。給水口のシールは、給水口端部とシール部材のフランジ部との当接によって成され、また、フランジ部を環状溝部に係合させる構造であるから、キャップの軸方向に沿うようにキャップとシール部材とを係合させるよりもキャップの高さが抑えられ、リザーバタンクキャップが小型になる。
【００１４】
請求項３に係る発明は、レベルゲージに冷却水の付着を促す複数の穴が開けられるとともに、冷却水の上限レベル及び下限レベルを示す目印が隣り合う穴の間に設けられた凹部から構成されていることを特徴とする。
【００１５】
作用として、冷却水レベルを点検する際、レベルゲージをリザーバタンクに挿入し、そして引き出すと、冷却水の表面張力によってレベルゲージの穴に冷却水が溜まり、冷却水の貯留量が確認可能になる。また、隣り合う穴の間に設けられた凹部は、上記の穴と比較して冷却水の付着量が少ないため、目印として確認しやすくなる。
【発明の効果】
【００１６】
請求項１に係る発明では、給水口の外周面におねじが形成され、キャップの内周面におねじにねじ結合するめねじが形成され、キャップの内周部に、キャップを給水口にねじ結合したときに給水口の開口とキャップとの間をシールするシール部材が係合され、このシール部材でレベルゲージが支持されるので、ねじ式のキャップにすることで、キャップをねじ込むだけで給水口とキャップとの組付けを容易に且つ確実なものとすることができ、また、シール部材はキャップの内周部に係合するので、キャップと給水口とで挟まれてシール性を発揮するので、従来と同様に、キャップでシール性確保とレベルゲージ保持とを両立させることができる。
【００１７】
請求項２に係る発明では、シール部材に、他の部分よりも外径が大きなフランジ部が形成され、キャップが、底部と、この底部の外周部から延びる周壁部とからなる有底筒状の部材であり、周壁部の内面に、めねじと、このめねじよりも底部に近い位置に設けられた環状溝部とが形成され、この環状溝部にシール部材のフランジ部が係合するので、シール部材のフランジ部をキャップの底部の環状溝部に係合するため、キャップの軸方向に沿うようにキャップとシール部材とを係合させるよりもキャップの周壁部の高さを高くすることなく、キャップの係合構造を設けることができる。従って、キャップの高さを小さくすることができ、キャップを小型にすることができる。
【００１８】
請求項３に係る発明では、レベルゲージに冷却水の付着を促す複数の穴が開けられるとともに、冷却水の上限レベル及び下限レベルを示す目印が隣り合う穴の間に設けられた凹部から構成されているので、複数の穴によって冷却水がレベルゲージに付着しやすくなり、冷却水レベルを確認しやすくすることができる。また、隣り合う穴の間に設けられた凹部が上記の穴と比較して冷却水の付着量が少ないため、目印として確認しやすくなり、冷却水が貯留量の上限レベルと下限レベルの間にあるかどうかを容易に確認することができる。
【図面の簡単な説明】
【００１９】
【図１】本発明に係るリザーバタンクを備えた自動二輪車の側面図である。
【図２】本発明に係るリザーバタンクの側面図である。
【図３】本発明に係るリザーバタンクに備えるキャップ（実施例１）の断面図である。
【図４】図３の４−４線断面図である。
【図５】本発明に係るキャップの組立要領を示す作用図である。
【図６】本発明に係るキャップを注水口に取付ける取付要領を示す作用図である。
【図７】本発明に係るリザーバタンクに備えるキャップ（実施例２）の断面図である。
【図８】本発明に係るリザーバタンクに備えるキャップ（実施例３）の断面図である。
【図９】従来のキャップの断面図である。
【発明を実施するための形態】
【００２０】
本発明の実施の形態を添付図に基づいて以下に説明する。なお、説明中の左、右、前、後は車両に乗車した運転者を基準にした向きを示している。また、図面は符号の向きに見るものとする。
【実施例１】
【００２１】
本発明の実施例１を説明する。
図１に示すように、自動二輪車１０は、車体フレーム１１が、前端部に設けられたヘッドパイプ１２と、このヘッドパイプ１２から後方斜め下方に延びる左右一対のメインフレーム１３，１４（手前側の符号１４のみ示す。）と、これらのメインフレーム１３，１４の後端に取付けられた左右一対のセンタフレーム１６，１７（手前側の符号１７のみ示す。）と、これらのセンタフレーム１６，１７から後方斜め上方に延びるシートレール（不図示）とから構成され、ヘッドパイプ１２に操舵自在にフロントフォーク２１が取付けられ、メインフレーム１３，１４の下部にエンジン２２が取付けられ、メインフレーム１３，１４の上部に燃料タンク２３が取付けられ、センタフレーム１６，１７の下部にピボット軸２４を介してスイングアーム２６が上下スイング自在に取付けられ、シートレールに運転者用シート２７及び同乗者用シート２８が取付けられている。
【００２２】
フロントフォーク２１には上端部にバーハンドル３１、下端部には前輪３２が取付けられ、エンジン２２の前方にはラジエータ３３が配置され、スイングアーム２６の後端には後輪３４が取付けられている。
【００２３】
ラジエータ３３の上方で燃料タンク２３の下方には、メインフレーム１３，１４の内側に位置するリザーバタンク３６が配置され、ラジエータ３３に配管３７で接続されている。
【００２４】
リザーバタンク３６は、冷却水を貯めるタンクであり、ラジエータ３３内の冷却水が高温になり、ラジエータ３３内が高圧となった場合には、ラジエータ３３内の冷却水がリザーバタンク３６内に流れ込み、また、ラジエータ３３内の冷却水が所定温度まで下がり、ラジエータ内の圧力が低下すると、リザーバタンク３６内の冷却水はラジエータ３３内に戻る。
【００２５】
ここで、符号４１はフロントフェンダ、４２はヘッドランプ、４３はメータ、４４は排気管、４６はマフラ、４７は運転者用ステップ、４８は同乗者用ステップ、５１はテールランプ、５２はリヤフェンダである。
【００２６】
図２に記載された矢印（ＦＲＯＮＴ）は車両前方を表している（以下同じ。）。
図２に示すように、リザーバタンク３６は、タンク本体６１と、このタンク本体６１に設けられた筒状の給水口６１ａを塞ぐキャップ６２とからなる。
【００２７】
タンク本体６１は、前部に前方斜め上方に向けて開口する給水口６１ａと、メインフレーム１４（図１参照）にステーを介して取付けられるように下部に形成された車体側取付部６１ｂと、ラジエータ３３（図１参照）に図示せぬ配管を介して接続するために側部及び底部に形成されたラジエータ側接続口６１ｃ，６１ｄとを備える。なお、符号６１ｅ，６１ｅは、ステーにボルト・ナットで取付けるためのボルト挿通穴である。
【００２８】
給水口６１ａは、筒状に形成され、筒の外周面にキャップ６２の内側のめねじにねじ結合されるおねじ６１ｇが形成されている。
このように、キャップ６２を給水口６１ａにねじ結合することで、キャップ６２を従来に比べて確実に給水口６１ａに取付けることができる。
【００２９】
図３に示すように、キャップ６２は、有底筒状のキャップ本体６５と、このキャップ本体６５の周壁部６５ａに係合されたゴム製のシール部材６６と、このシール部材６６の中央部に取付けられたレベルゲージ６７とからなる。
【００３０】
キャップ本体６５は、周壁部６５ａと、この周壁部６５ａに一体成形された底壁６５ｂとからなる。
周壁部６５ａは、タンク本体６１（図２参照）の給水口６１ａ（図２参照）にねじ結合するためのめねじ６５ｃと、シール部材６６が係合するように底壁６５ｂの底面と同一面上に形成された環状溝部６５ｄとが形成されている。
【００３１】
シール部材６６は、レベルゲージ６７を取付けるために中央部に設けられた厚肉部６６ａに形成されたゲージ嵌合穴６６ｂと、キャップ本体６５の環状溝部６５ｄに係合するように形成されたフランジ部６６ｃとを備える。
ゲージ嵌合穴６６ｂは、端から一端部穴部６６ｅ、環状凸部６６ｆ及び他端部穴部６６ｇからなる。
【００３２】
レベルゲージ６７は、リザーバタンク３６（図２参照）内に貯留された冷却水の量を確認する部品であり、シール部材６６と嵌合するために一端部に形成された嵌合端部６７ａと、冷却水の付着を促すために複数形成された矩形状の穴部６７ｂと、リザーバタンク３６内の冷却水量の上限レベル及び下限レベルを示すために形成された上限レベル用凹部６７ｃ及び下限レベル用凹部６７ｄとを備える。なお、符号６７ｅは上限レベル用凹部６７ｃ及び下限レベル用凹部６７ｄの位置を更に把握しやすくするために上限レベル用凹部６７ｃ及び下限レベル用凹部６７ｄの周囲に設けられた微少凸部である。
【００３３】
嵌合端部６７ａは、端から端部フランジ６７ｆ、環状凹部６７ｇ、環状凸部６７ｈからなり、環状凹部６７ｇにキャップ本体６５の環状凸部６６ｆが嵌合し、レベルゲージ６７の軸方向位置が規制される。
【００３４】
上記の穴部６７ｂは、表面張力を利用して冷却水が付着しやすいようにする部分であり、また、上限レベル用凹部６７ｃ及び下限レベル用凹部６７ｄは、複数の穴部６７ｂの間に設けられることで、穴部６７ｂは冷却水が多く付着し、上限レベル用凹部６７ｃ及び下限レベル用凹部６７ｄは冷却水の付着量が少ないため、上限レベル用凹部６７ｃ及び下限レベル用凹部６７ｄの位置が視認しやすくなり、冷却水の上限レベル及び下限レベルを認識しやすくすることができる。
【００３５】
図４（ａ）に示すように、レベルゲージ６７は、複数の穴部６７ｂと、穴部６７ｂ，６７ｂ間に且つ両面に設けられた上限レベル用凹部６７ｃ，６７ｃとを備える。
穴部６７ｂは、レベルゲージ６７の一方の面から他方の面に貫通し、上限レベル用凹部６７ｃ，６７ｃ間は隔壁６７ｋで塞がれている。なお、下限レベル用凹部６７ｄ（図３参照）についても、上限レベル用凹部６７ｃと同一形状である。
【００３６】
図４（ｂ）に示すように、レベルゲージ６７をタンク本体６１（図２参照）に挿入し、そして引き上げると、穴部６７ｂには、緑色で透明な冷却水７０が各穴部６７ｂの全域を塞ぐように付着し、冷却水レベルが視認しやすい。また、上限レベル用凹部６７ｃには、冷却水７０の付着は少なく、レベルゲージ６７の素材の面である底面６７ｍが視認でき、上限レベルとして分かりやすい。下限レベル用凹部６７ｄ（図３参照）についても、上限レベル用凹部６７ｃと同様である。
【００３７】
以上に述べたキャップ６２の組立要領を次に説明する。
図５（ａ）に示すように、シール部材６６のフランジ部６６ｃ側をレベルゲージ６７側に向け、シール部材６６のゲージ嵌合穴６６ｂを、矢印で示すように、レベルゲージ６７に移動させ、嵌合させる。そして、レベルゲージ６７の一端部側から他端部側へシール部材６６を移動させる。
図５（ｂ）は、シール部材６６のゲージ嵌合穴６６ｂがレベルゲージ６７の嵌合端部６７ａに嵌合した状態を示している。
【００３８】
図５（ｃ）において、シール部材６６が取付けられたレベルゲージ６７を手７２で持って、シール部材６６をキャップ本体６５の周壁部６５ａ内に挿入する。
そして、図５（ｄ）に示すように、シール部材６６の端面及び／又はレベルゲージ６７の端面をキャップ本体６５の底壁６５ｂに押し当てる。このままでは、シール部材６６のフランジ部６６ｃがめねじ６５ｃ側に撓んで環状溝部６５ｄに入らないため、レベルゲージ６７と共にシール部材６６をレベルゲージ６７の長手方向に延びる軸回りに半周ほど回転させる。この結果、図５（ｅ）に示すように、シール部材６６のフランジ部６６ｃが環状溝部６５ｄ内に収まる。
【００３９】
以上に述べたキャップ６２の取付要領を次に説明する。
図６（ａ）において、キャップ６２を、矢印で示すように、タンク本体６１の給水口６１ａにねじ込んで取付ける。
図６（ｂ）は、タンク本体６１の給水口６１ａにキャップ６２が取付けられた状態を示している。
【００４０】
即ち、キャップ６２のキャップ本体６５に形成されためねじ６５ｃが、給水口６１ａのおねじ６１ｇにねじ結合し、キャップ６２のシール部材６６、詳しくは、シール部材６６のフランジ部６６ｃが、上記ねじ結合による軸力によって給水口６１ａの開口端面６１ｈに押し付けられて潰され、給水口６１ａとキャップ６２とのシール性が確保される。
【００４１】
このとき、シール部材６６は、レベルゲージ６７を支持するとともに、給水口６１ａとキャップ６２との間のシール性を確保するための部材であり、レベルゲージ６７を支持する支持部材と、給水口６１ａとキャップ６２との間をシールするシール部材とを別々に設けるのに比べて部品数を減らすことができ、コストを低減することができる。
【実施例２】
【００４２】
本発明の実施例２を説明する。なお、実施例１と同一構成については同一符号を付け、詳細説明は省略する。
図７に示すように、キャップ８２は、有底筒状のキャップ本体８５と、このキャップ本体８５の底壁８５ｂに係合されたゴム製のシール部材８６と、このシール部材８６の中央部に取付けられたレベルゲージ６７とからなる。
【００４３】
キャップ本体８５は、周壁部８５ａと、この周壁部８５ａに一体成形された底壁８５ｂとからなる。
周壁部８５ａは、タンク本体６１（図２参照）の給水口６１ａ（図２参照）にねじ結合するためのめねじ６５ｃを備える。
底壁８５ｂは、シール部材８６が係合する複数の係合穴８５ｃを備える。
【００４４】
シール部材８６は、レベルゲージ６７を取付けるために中央部に設けられた厚肉部６６ａに形成されたゲージ嵌合穴６６ｂと、キャップ本体８５の係合穴８５ｃに係合するように形成された係合突起８６ｃと、タンク本体６１の給水口６１ａとキャップ本体８５との間をシールする小フランジ部８６ｄとを備える。
【実施例３】
【００４５】
本発明の実施例３を説明する。なお、実施例１、実施例２と同一構成については同一符号を付け、詳細説明は省略する。
図８に示すように、キャップ９２は、有底筒状のキャップ本体９５と、このキャップ本体９５の底壁９５ｂに取付けられたレベルゲージ９７と、このレベルゲージ９７の嵌合端部６７ａに取付けられたゴム製のシール部材９６とからなる。
【００４６】
キャップ本体９５は、周壁部８５ａと、この周壁部８５ａに一体成形された底壁９５ｂとからなる。
底壁９５ｂは、レベルゲージ９７とねじ結合されるめねじ９５ｃを備える。
【００４７】
レベルゲージ９７は、リザーバタンク３６（図２参照）内に貯留された冷却水の量を確認する部品であり、シール部材９６と嵌合するように一端部に形成された嵌合端部６７ａと、キャップ本体９５のめねじ９５ｃにねじ結合するように形成されたおねじ９７ｃと、冷却水の付着を促すために複数形成された矩形状の穴部６７ｂと、リザーバタンク３６内の冷却水量の上限レベル及び下限レベルを示すために形成された上限レベル用凹部６７ｃ及び下限レベル用凹部６７ｄとを備える。
【００４８】
シール部材９６は、レベルゲージ９７に取付けられるように中央部に設けられた厚肉部６６ａに形成されたゲージ嵌合穴６６ｂと、タンク本体６１の給水口６１ａとキャップ本体８５との間をシールする小フランジ部８６ｄとを備える。
【００４９】
上記の図２、図３に示したように、冷却水を入れる筒状の給水口６１ａが形成され、この給水口６１ａにキャップ６２が嵌められ、このキャップ６２に内部の冷却水の貯留量を確認するレベルゲージ６７が取付けられたリザーバタンク３６において、給水口６１ａの外周面におねじ６１ｇが形成され、キャップ６２の内周面におねじ６１ｇにねじ結合するめねじ６５ｃが形成され、キャップ６２の内周部に、キャップ６２を給水口６１ａにねじ結合したときに給水口６１ａの開口とキャップ６２との間をシールするシール部材６６が係合され、このシール部材６６でレベルゲージ６７が支持されるので、ねじ式のキャップ６２にすることで、キャップ６２をねじ込むだけで給水口６１ａとキャップ６２との組付けを容易に且つ確実なものとすることができ、また、シール部材６６はキャップ６２の内周部に係合するので、キャップ６２と給水口６１ａとで挟まれてシール性を発揮するので、従来と同様に、キャップ６２でシール性確保とレベルゲージ６７の保持とを両立させることができる。
【００５０】
上記の図３に示したように、シール部材６６に、他の部分よりも外径が大きなフランジ部６６ｃが形成され、キャップ６２が、底部としての底壁６５ｂと、この底壁６５ｂの外周部から延びる周壁部６５ａとからなる有底筒状の部材であり、周壁部６５ａの内面に、めねじ６５ｃと、このめねじ６５ｃよりも底壁６５ｂに近い位置に設けられた環状溝部６５ｄとが形成され、この環状溝部６５ｄにシール部材６６のフランジ部６６ｃが係合するので、キャップの軸方向に沿うようにキャップとシール部材とを係合させるよりもキャップ６２の周壁部６５ａの高さを高くすることなく、キャップ６２とシール部材６６との係合構造を設けることができる。従って、キャップ６２の高さを小さくすることができ、キャップ６２を小型にすることができる。
【００５１】
また、レベルゲージ６７に冷却水の付着を促す複数の穴としての穴部６７ｂが開けられるとともに、冷却水の上限レベル及び下限レベルを示す目印としての上限レベル用凹部６７ｃ及び下限レベル用凹部６７ｄが隣り合う穴部６７ｂ，６７ｂの間に設けられた凹部から構成されているので、複数の穴部６７ｂによって冷却水がレベルゲージ６７に付着しやすくなり、冷却水レベルを確認しやすくすることができる。また、隣り合う穴部６７ｂの間に設けられた上限レベル用凹部６７ｃ及び下限レベル用凹部６７ｄが上記の穴部６７ｂと比較して冷却水の付着量が少ないため、目印として確認しやすくなり、冷却水が貯留量の上限レベルと下限レベルの間にあるかどうかを容易に確認することができる。
【００５２】
尚、本発明では、レベルゲージに冷却水の付着を促す複数の穴が開け、冷却水の上限レベル及び下限レベルを示す目印を凹部で構成したが、これに限らず、レベルゲージに冷却水の付着を促す複数の凹部を設け、冷却水の上限レベル及び下限レベルを示す目印を穴部で構成してもよい。
【産業上の利用可能性】
【００５３】
本発明のリザーバタンクは、二輪車に好適である。
【符号の説明】
【００５４】
３６…リザーバタンク、６１ａ…給水口、６１ｇ…おねじ、６２，８２，９２…キャップ、６５ａ…周壁部、６５ｂ…底部（底壁）、６５ｃ…めねじ、６５ｄ…環状溝部、６６，８６，９６…シール部材、６６ｃ…フランジ部、６７，９７…レベルゲージ、６７ｂ…穴（穴部）、６７ｃ…凹部（上限レベル用凹部）、６７ｄ…凹部（下限レベル用凹部）。
【図１】
2010173504.tif 000003
【図２】
2010173504.tif 000004
【図３】
2010173504.tif 000005
【図４】
2010173504.tif 000006
【図５】
2010173504.tif 000007
【図６】
2010173504.tif 000008
【図７】
2010173504.tif 000009
【図８】
2010173504.tif 000010
【図９】
2010173504.tif 000011